(57)【要約】【課題】薄型で身体へのフィット性に優れると共に、良好な装着感が奏される吸収性物品を提供すること。【解決手段】表面シート２、裏面シート３及びこれら両シート２，３間に介在された吸収体４を備えた吸収性本体１０と、防漏カフ１５とを備えた吸収性物品である。吸収性物品は、縦方向Ｘの中央位置を挟んでその前後に位置する２本の折り線ＦＬ１，ＦＬ２を含む複数の折り線それぞれに沿って肌対向面側に折り返されて縦方向Ｘに折り畳まれている。防漏カフ１５は、縦方向Ｘにおける２本の折り線ＦＬ１，ＦＬ２間のみに、該縦方向Ｘに伸縮する伸縮部を有し、且つ２本の折り線それぞれの位置より外方に端部固定部１７を有している。吸収体４は、基材シート２０と、該基材シート２０の片面に形成された吸収性コア１４とを備えている。吸収性コア１４は、吸水性樹脂４３と、該吸水性樹脂４３を基材シート２０に固定する水溶性高分子４７とを含んでいる。【選択図】図５
2019155005.tif 000002
【特許請求の範囲】
【請求項１】
着用者の前後方向に対応する縦方向及び該縦方向に直交する横方向を有し、肌対向面を形成する表面シート、非肌対向面を形成する裏面シート及びこれら両シート間に介在された吸収体を備えた吸収性本体と、該吸収性本体の前記縦方向の両側部に配された防漏カフとを備えた吸収性物品であって、
前記吸収性物品は、前記縦方向の中央位置を挟んでその前後に位置する２本の折り線を含む複数の折り線それぞれに沿って肌対向面側に折り返されて前記縦方向に折り畳まれており、
前記防漏カフは、前記吸収性物品の前記縦方向における前記２本の折り線間のみに、該縦方向に伸縮する伸縮部を有し、且つ該縦方向における前記２本の折り線それぞれの位置より外方に前記吸収性本体に固定された端部固定部を有しており、
前記吸収体は、基材シートと、該基材シートの片面に形成された吸収性コアとを備え、該吸収性コアは、吸水性樹脂と、該吸水性樹脂を前記基材シートに固定する水溶性高分子とを含む、吸収性物品。
【請求項２】
前記吸収性物品を前記縦方向に折り返している前記複数の折り線が、前記２本の折り線のみであり、
前記吸収性物品が三つ折り状態に折り畳まれている、請求項１に記載の吸収性物品。
【請求項３】
前記吸収性コアは、前記吸収性物品の横方向における前記防漏カフの固定端の位置より外側の部分が、該固定端の位置より内側の部分に比して坪量が低いか、又は該防漏カフの固定端の位置より外側に吸収性コアが存在しない、請求項１又は２に記載の吸収性物品。
【請求項４】
前記吸収体は、前記基材シートの前記吸収性コアが形成された面が別体のシートによって被覆されていない、請求項１〜３の何れか１項に記載の吸収性物品。
【請求項５】
前記吸収体は、前記基材シートの前記吸収性コアが形成された面が前記裏面シート側に向いている、請求項１〜４の何れか１項に記載の吸収性物品。
【発明の詳細な説明】
【技術分野】
【０００１】
本発明は吸収性物品に関する。
【背景技術】
【０００２】
使い捨ておむつや失禁パッド等の吸収性物品は、一般的にその長手方向に沿う両側部に防漏カフを備え、尿等の排泄液の横漏れを防いでいる。防漏カフを備える吸収性物品として、着用者の身体へのフィット性を良好にする観点から、該防漏カフに備えられた弾性部材の収縮により、該吸収性物品を変形させるものが提案されている。例えば、本出願人は、先に、変形誘導部を有する吸収性コアと一対の立体防漏構造とを備えた吸収性物品であって、該立体防漏構造には、長手方向の前後端部域それぞれに、自由端部が本体に固定された自由端部固定部が形成され、それによって立体防漏構造の起立が阻害された起立阻害部が形成されており、立体防漏構造の長手方向中央における起立可能幅を、起立阻害距離より短くすることが可能な吸収性物品を提案している（特許文献１）。特許文献１に記載の吸収性物品によれば、立体防漏構造が備える弾性部材の収縮により、失禁パッドの自然状態において吸収性コアの立体的な変形が起こる。
【先行技術文献】
【特許文献】
【０００３】
【特許文献１】特開２０１５−２７６５号公報
【発明の概要】
【発明が解決しようとする課題】
【０００４】
一方、良好な装着感を得る観点から、吸収体の薄型化が望まれている。しかし薄型化した吸収体は変形しやすく、装着時の作業性の低下を生じることがあり、また、身体へのフィット性に改善の余地があった。
【０００５】
したがって、本発明の課題は、前述した従来技術が有する欠点を解消し得る吸収性物品を提供することにある。
【課題を解決するための手段】
【０００６】
本発明は、着用者の前後方向に対応する縦方向及び該縦方向に直交する横方向を有し、肌対向面を形成する表面シート、非肌対向面を形成する裏面シート及びこれら両シート間に介在された吸収体を備えた吸収性本体と、該吸収性本体の前記縦方向の両側部に配された防漏カフとを備えた吸収性物品であって、前記吸収性物品は、前記縦方向の中央位置を挟んでその前後に位置する２本の折り線を含む複数の折り線それぞれに沿って肌対向面側に折り返されて前記縦方向に折り畳まれており、前記防漏カフは、前記吸収性物品の前記縦方向における前記２本の折り線間のみに、該縦方向に伸縮する伸縮部を有し、且つ該縦方向における前記２本の折り線それぞれの位置より外方に前記吸収性本体に固定された端部固定部を有しており、前記吸収体は、基材シートと、該基材シートの片面に形成された吸収性コアとを備え、該吸収性コアは、吸水性樹脂と、該吸水性樹脂を前記基材シートに固定する水溶性高分子とを含む、吸収性物品を提供するものである。
【発明の効果】
【０００７】
本発明の吸収性物品によれば、薄型で装着感に優れると共に、良好な身体へのフィット性及び装着時の作業性が奏される。
【図面の簡単な説明】
【０００８】
【図１】図１は、本発明の吸収性物品の一実施形態である失禁パッドの平面図である。
【図２】図２は、図１に示す失禁パッドの使用前の個別包装状態を示す図である。
【図３】図３は、図１のＩ−Ｉ線断面を模式的に示す断面図である。
【図４】図４は、図３に示す表面シート、吸収体、及び裏面シートの拡大断面図である。
【図５】図５は、図１に示す失禁パッドの斜視図である。
【図６】図６は、図５に示す失禁パッドにおいて、防漏カフが横方向の内方に向かって湾曲する状態を示す平面図である。
【図７】図７は、凹部を有する吸収体を製造する装置を示す斜視図である。
【図８】図８（ａ）は、図２のＩＩ−ＩＩ線断面図である。図８（ｂ）は、本発明の吸収性物品の別の実施形態を示す図８（ａ）相当図である。
【発明を実施するための形態】
【０００９】
以下、本発明の吸収性物品を、その好ましい一実施形態である失禁パッド１に基づき図面を参照して説明する。図１には、本実施形態の失禁パッド１を表面シート２側から視た平面図が示されている。図１は、失禁パッド１を、後述する弾性部材１６ａを伸長させて平面状に拡げた状態を示している。図３には、本実施形態の失禁パッド１の断面図が示されている。
【００１０】
失禁パッド１は、図１に示すように、着用時に着用者の液排泄部（膣口等）に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。失禁パッド１は、着用者の前後方向に対応する縦方向Ｘ及び該縦方向Ｘに直交する横方向Ｙを有し、縦方向Ｘに、前方部Ａ、排泄部対向部Ｂ及び後方部Ｃの順番で区分される。着用者の前後方向に対応する縦方向Ｘは、着用時に、着用者の腹側から股下を通って背側に向かう方向である。また、失禁パッド１は、縦方向Ｘに延びる中心線ＣＬに対して左右対称に形成されている。縦方向Ｘとは、中心線ＣＬに平行な方向でもある。
失禁パッド１は、図３に示すように、肌対向面を形成する液透過性の表面シート２、非肌対向面を形成する裏面シート３及びこれら両シート２，３間に介在された吸収体４を備えた吸収性本体１０と、該吸収性本体１０の横方向Ｙの両側部に配された一対の防漏カフ１５とを備えている。
【００１１】
また、本明細書において、肌対向面は、失禁パッド１又はその構成部材（例えば吸収体４）における、失禁パッド１の着用時に着用者の肌側に向けられる面であり、非肌対向面は、失禁パッド１又はその構成部材における、失禁パッド１の着用時に肌側とは反対側（着衣側）に向けられる面である。
【００１２】
失禁パッド１は、縦方向Ｘの中央位置を挟んでその前後に位置する２本の折り線ＦＬ１，ＦＬ２を含む複数の折り線それぞれに沿って肌対向面側に縦方向Ｘに折り返されて折り畳まれている。本実施形態において失禁パッド１を縦方向Ｘに折り返している前記複数の折り線は、前記２本の折り線ＦＬ１，ＦＬ２のみであり、失禁パッド１は、前記２本の折り線ＦＬ１，ＦＬ２に沿って肌対向面側に折り返されて三つ折り状態に折り畳まれている。図２に示すように、本実施形態の失禁パッド１は、その使用前の包装状態においては、包装材８０によって個別に包装された状態となっている。包装材８０は、失禁パッド１の横方向Ｙの端部からの延出部及び縦方向Ｘの両端からの延出部を有する縦方向Ｘに長い矩形状のシートであり、失禁パッド１は、包装材８０上に配され、前方部Ａ寄りの第１折り線ＦＬ１及び後方部Ｃ寄りの折り線ＦＬ２で、包装材８０と共に肌対向面側に折り曲げられて、三つ折りにされて折り畳まれている。包装材８０と共に三つ折りに折り畳まれた失禁パッド１は、その両側縁から横方向Ｙ外方に延出する包装材８０の両側部８１それぞれをヒートシール等の公知の固定方法により固定して封止すると共に、包装材８０の開封開始端を公知のタブテープ８５で所定箇所止着することにより、失禁パッド１が包装材８０によって個別に包装された失禁パッド１の個装体８となる（図２参照）。
【００１３】
本実施形態の第１折り線ＦＬ１及び第２折り線ＦＬ２は、失禁パッド１が三つ折りの個装形態に折り畳まれた際に、横方向Ｙに延びるように生じる。本実施形態において、排泄部対向部Ｂは、吸収性物品の縦方向Ｘにおいて２本の折り線ＦＬ１，ＦＬ２に囲まれた領域となっている。このような縦方向Ｘにおける２本の折り線ＦＬ１，ＦＬ２間の領域を、以下、折り線間領域ＦＲともいう。また、折り線ＦＬ１，ＦＬ２それぞれの位置より縦方向Ｘの外方側の領域を、以下、外方領域ともいう。本実施形態において、外方領域は、前方部Ａ及び後方部Ｃとなっている。
第１折り線ＦＬ１及び第２折り線ＦＬ２は、前方部Ａと後方部Ｃとの縦方向の長さが等しくなる位置に配されていても良く、吸収性物品を縦方向Ｘにおいて３等分する位置に配されていても良い。
【００１４】
失禁パッド１では、表面シート２は、図１及び図３に示すように、吸収体４の肌対向面の全域を被覆し、吸収体４の縦方向Ｘに沿う両側縁から横方向Ｙの外方に延出している。一方、裏面シート３は、吸収体４の非肌対向面の全域を被覆し、更に吸収体４の縦方向Ｘに沿う両側縁から横方向Ｙの外方に延出して、後述するサイドシート５と共にサイドフラップ部Ｓを形成している。裏面シート３の非肌対向面には、ショーツ等の下着に固定するための粘着部３１が設けられている。裏面シート３とサイドシート５とは、吸収体４の縦方向Ｘに沿う両側縁からの延出部において、接着剤、ヒートシール、超音波シール等の公知の接合手段によって互いに接合されている。尚、表面シート２及び裏面シート３それぞれと吸収体４との間は接着剤によって接合されていてもよい。
【００１５】
本実施形態の表面シート２は、図３に示すように、肌対向面側に配された第１シート２ａと、非肌対向面側に配された第２シート２ｂとを有する複合シートからなる。表面シート２は、複合シートではなく、１枚のシートからなる単層構造であっても良い。
また、本実施形態の表面シート２は、図３に示すように、肌対向面側、即ち第１シート２ａに凹部１２ｂ及び凸部１２ａからなる凹凸領域を有している。第１シート２ａの凸部１２ａと第２シート２ｂとの間には中空部２ｃがあり、第１シート２ａの凹部１２ｂ部分は、第２シート２ｂと接合されている。
表面シート２は、本実施形態のように凹凸領域を有していても良く、凹凸領域を有さない平坦なものであっても良い。
【００１６】
表面シート２及び裏面シート３の形成材料としては、それぞれ吸収性物品に従来使用されている各種のもの等を特に制限なく用いることができる。
表面シート２として、例えば、尿などの体液を透過し得る液透過性シートであることを前提として、合成繊維又は天然繊維からなる織布や不織布、多孔性シート等を用いることができる。
裏面シート３として、例えば、液不透過性又は撥水性の樹脂フィルム、樹脂フィルムと不織布とのラミネートシート等を用いることができる。裏面シート３に関し、液不透過性とは、液難透過性も含む概念であり、裏面シート３が液を全く通さない場合も含まれる。
【００１７】
失禁パッド１では、図１及び図３に示すように、吸収性本体１０の肌対向面側における縦方向Ｘに沿う両側部に一対のサイドシート５が配されている。好適には、サイドシート５は、平面視において、吸収体４の縦方向Ｘに沿う左右両側部に重なるように、失禁パッド１の縦方向Ｘの全長に亘って配されている。サイドシート５は、吸収体４よりも横方向Ｙの外方へ延出しており、その延出部位と、裏面シート３の横方向Ｙの延出部位とが接合されてサイドフラップ部Ｓを形成している。
【００１８】
失禁パッド１は、前述のように一対の防漏カフ１５を備えている。本実施形態の防漏カフ１５は、横方向Ｙ内方側のサイドシート５の一部と、該サイドシート５に伸長状態で固定された１本又は複数本の糸状の弾性部材１６ａとにより形成される。防漏カフ１５は、吸収体４の長手方向に沿う両側縁それぞれの近傍に、接着剤等の接合手段によって表面シート２に固定された固定部５ａを有し、該固定部５ａの横方向Ｙ内側の端部が、防漏カフ１５の固定端１５ｂとなっている。防漏カフ１５は、固定端１５ｂと自由端１５ａとの間が、着用中に起立することにより、尿等の排泄液の横漏れを防止するようになっている。防漏カフ１５は、自由端１５ａと固定端１５ｂとの間に伸縮部１６を有している。伸縮部１６は、サイドシート５に伸長状態で固定された弾性部材１６ａによって縦方向Ｘに伸縮する部分であり、縦方向Ｘにおける２本の折り線ＦＬ１，ＦＬ２間に位置する折り線間領域ＦＲに形成されている。即ち、防漏カフ１５は、失禁パッド１の縦方向Ｘの中央を挟む２本の折り線ＦＬ１，ＦＬ２間のみに伸縮性を有している。また、防漏カフ１５は、折り曲げ部１５ｄから自由端１５ａ側が外向きに折り返されて形成された折り返し部１５ｃを有している。折り曲げ部１５ｄは、失禁パッド１の横方向Ｙにおいて、防漏カフ１５の固定端１５ｂの位置又は該固定端１５ｂの位置より内側に位置する。防漏カフ１５は、折り曲げ部１５ｄを起点に外向きに折り返されており、それによって折り返し部１５ｃが形成されている。なお、防漏カフ１５の縦方向において、弾性部材１６ａが縦方向Ｘに沿って配されていても、該弾性部材１６ａが伸縮性を発現しない状態で配されている部分は、伸縮部１６に該当しない。
【００１９】
防漏カフ１５は、図１に示すように、２本の折り線ＦＬ１，ＦＬ２それぞれの位置より外方に、防漏カフ１５が吸収性本体１０に固定された端部固定部１７を有している。本実施形態の防漏カフ１５は、前方部Ａ及び後方部Ｃの縦方向Ｘの外方側端部部分、より具体的には吸収体４から縦方向Ｘの外方に延出した部分が、端部固定部１７によって吸収性本体１０に固定されている。また、防漏カフ１５は、端部固定部１７間に縦方向Ｘに沿って位置する固定部５ａにおいては、図３に示すように、防漏カフ１５の表面シートと対向する面が表面シート２に固定されている。
本実施形態における防漏カフ１５は、失禁パッドが前記三つ折り状態から展開された状態（図１及び図５参照）では、伸縮部１６の収縮によって、端部固定部１７間の折り返し部１５ｃが着用者の身体側に向けて起立する。防漏カフ１５が着用中に起立することにより、尿等の排泄液の横漏れを防止する。
【００２０】
サイドシート５としては、当該技術分野において従来用いられている各種のものを特に制限なく用いることができ、例えば、液不透過性又は撥水性の不織布や樹脂フィルム、樹脂フィルムと不織布との積層体等を用いることができる。
【００２１】
失禁パッド１では、表面シート２及び裏面シート３は、吸収体４の縦方向Ｘの前端及び後端それぞれから縦方向Ｘの外方に延出し、それらの延出部において、接着剤、ヒートシール、超音波シール等の公知の接合手段によって、互いに接合されている。具体的には、表面シート２及び裏面シート３は、図１に示すように、縦方向Ｘの前端側及び後端側の延出部において、接合部（不図示）により接合されている。
本実施形態における吸収体４は、図１に示すように平面視して、角が丸みを帯びた略矩形形状であり、前方部Ａから排泄部対向部Ｂを経て後方部Ｃに亘って延びている。
【００２２】
本実施形態の吸収体４は、図３に示すように、基材シート２０と、該基材シート２０の片面に形成された吸収性コア１４とを備えている。本実施形態の吸収体４は、吸収性コア１４がパルプ繊維を含有していないため、パルプ繊維を含有した吸収性コアを具備する吸収体に比して、厚みが薄い。
【００２３】
本実施形態における吸収性コア１４は、図４に示すように、吸水性樹脂４３と、該吸水性樹脂４３を基材シート２０に固定する水溶性高分子４７とを含んでいる。吸収性コア１４は、吸水性樹脂４３が、水溶性高分子４７と結合して、基材シート２０に固定されている。
基材シート２０としては、吸収性コア１４を保持し得る材料のものが用いられ、液透過性シートであってもよく、液不透過性シート又は液難透過性シートであってもよい。基材シート２０は、例えば不織布、紙、織布、及びフィルムなどから構成することができる。これらの２種以上の材料の積層体を基材シートとして用いてもよい。尿等の排泄液を平面方向に拡散させる観点からは、基材シートは液透過性の繊維シートからなることが好ましい。
【００２４】
不織布としては、各種の製造方法で得られるものを特に制限なく用いることができる。不織布の例としては、スパンレース不織布、スパンボンド不織布、エアスルー不織布、メルトブローン不織布、ニードルパンチ不織布及びレジンボンド不織布などが挙げられる。これらの不織布は、それぞれ単独で用いることができ、あるいは２種以上の不織布の積層体の形態で用いることもできる。
【００２５】
織布としては、種々の繊維組織を有するものを用いることができる。紙としては、抄紙可能な繊維を原料とし、湿式抄紙法又は乾式抄紙法によって得られたものを用いることができる。フィルムとしては、例えばＴダイ法やインフレーション法によって成形され、一軸又は二軸延伸されて得られたものを用いることができる。
【００２６】
基材シート２０を構成する前記の各種の材料は、例えば各種の熱可塑性樹脂などの合成高分子材料や、パルプ等のセルロースなどの天然高分子材料を用いることができる。熱可塑性樹脂としては、例えばポリエチレン（ＰＥ）やポリプロピレン（ＰＰ）等のポリオレフィン繊維、ポリエチレンテレフタレート（ＰＥＴ）やポリブチレンテレフタレート（ＰＢＴ）等のポリエステル繊維、ポリアクリル酸やポリメタクリル酸エステル等のポリアクリル酸系繊維、ポリスチレンやポリ塩化ビニル等のビニル系繊維などを用いることができる。これらの樹脂は単独で用いてもよく、あるいは２種以上をブレンドして用いてもよい。これらの樹脂から繊維を形成する場合には、単一樹脂の繊維を形成してもよく、あるいは芯鞘型やサイドバイサイド型の複合繊維を形成してもよい。
【００２７】
基材シート２０は、吸収体４の保形性の観点から、その坪量が１０ｇ／ｍ２以上であることが好ましく、１５ｇ／ｍ２以上であることが更に好ましく、２０ｇ／ｍ２以上であることが一層好ましい。また基材シート２０は、吸収体４の薄さ及び柔軟性の観点から、７０ｇ／ｍ２以下であることが好ましく、６５ｇ／ｍ２以下であることが更に好ましく、６０ｇ／ｍ２以下であることが一層好ましい。具体的には、基材シートは、その坪量が１０ｇ／ｍ２以上７０ｇ／ｍ２以下であることが好ましく、１５ｇ／ｍ２以上６５ｇ／ｍ２以下であることが更に好ましく、２０ｇ／ｍ２以上６０ｇ／ｍ２以下であることが一層好ましい。
【００２８】
基材シート２０の片面２０ａには吸収性コア１４が形成されている。吸収性コア１４は、基材シート２０と直接に接した状態で該基材シート２０上に位置していてもよく、あるいは、基材シート２０と吸収性コア１４との間に１又は２以上の部材や層が介在した状態で、基材シート２０と吸収性コア１４とが間接的に隣接していてもよいが、吸収性物品の薄型化の観点から、基材シート２０と吸収性コア１４との間には他の部材を介在させないことが好ましい。
【００２９】
本実施形態の吸収性コア１４は、吸水性樹脂４３と、該吸水性樹脂４３を基材シート２０に固定する水溶性高分子４７とを含んでいる。水溶性高分子４７の「水溶性」とは、２５℃の水１００ｇに対する溶解度が０．５ｇ以上であることを意味する。
前記溶解度の測定方法は以下の通りである。１００ｍＬのガラスビーカー（５ｍｍΦ）に対象物を所定量、２５℃の５０ｍＬイオン交換水に添加混合し、長さ２０ｍｍ、幅７ｍｍのスターラーチップを入れ、アズワン株式会社製マグネチックスターラーＨＰＳ−１００を用いて６００ｒｐｍ撹拌する。添加した対象物の全量が２４時間以内に水に溶解するか否かを確認する。斯かる一連の作業を、評価対象物の総重量（前記ビーカーへの投入量）が異なる複数のサンプルについて行い、評価対象物の全量が溶解した複数のサンプルのうち、その溶解量が最大であったサンプルにおける評価対象物の総重量の２倍の値を、前記溶解度とする。前記溶解度は、好ましくは１ｇ以上、更に好ましくは５ｇ以上、一層好ましくは１０ｇ以上である。
吸収性物品の薄型化を容易とする観点から、本発明の吸収性物品において、吸収性コア１４は繊維材料を非含有であることが好ましい。
【００３０】
水溶性高分子４７として、例えば、例えばポリビニルピロリドン、ポリビニルアルコール、ポリビニルブチラール、デキストリン、ポリエチレンオキシド、水溶性ナイロンなどが挙げられ、これらの中でも、ポリビニルピロリドン、ポリビニルブチラール及びデキストリンから選ばれる１種以上が好ましい。水溶性高分子４７は、１種を単独で、又は２種以上を組み合わせて用いることができる。また、水溶性高分子のうち、特に水溶性、及び吸水性樹脂４３の基材シート２０への固定の観点から、ポリビニルピロリドン、中でもＫ−１５、Ｋ−３０、Ｋ−６０又はＫ−９０のグレードのポリビニルピロリドンを用いることが好ましい。
【００３１】
吸水性樹脂４３は、水との接触によって膨潤して水を吸収保持し得る材料からなる。
吸水性樹脂４３は、自重の２０倍以上の水を吸収して保持できるものであることが好ましい。また、吸水性樹脂４３は、対象物が尿であれば自重の２０倍以上、特に３０倍以上を吸収して保持できるものが好ましく、血液であれば１倍以上、好ましくは３倍以上を吸収・保持できるものが好ましい。吸水性樹脂４３における水の吸収・保持の上限値に特に制限はないが、自重の１０００倍を上限の目安とすることができる。
【００３２】
吸水性樹脂４３としては、例えば、各種のヒドロゲル材料、例えばアクリル酸若しくはアクリル酸アルカリ金属塩の重合体又は共重合体の架橋物、ポリアクリル酸及びその塩並びにポリアクリル酸塩グラフト重合体の架橋物、デンプン又はカルボキシメチル化セルロースの架橋物、デンプン−アクリル酸塩グラフト共重合体の加水分解生成物の架橋物、ビニルアルコール−アクリル酸塩共重合体の架橋物、無水マレイン酸グラフトポリビニルアルコールの架橋物、架橋イソブチレン−無水マレイン酸共重合体、酢酸ビニル−アクリル酸エステル共重合体のケン化物等を用いることができる。
吸水性樹脂４３の形状は特に制限されず、球状、塊状、俵状又は不定形であっても良く、繊維状のものでもよい。
【００３３】
薄型の吸収性コアを具備する吸収性物品は、剛性が低く、防漏カフの伸縮部の収縮力が吸収性物品全体に影響し、吸収性物品全体が変形する。伸縮部は、一般的に防漏カフの自由端を起立させるためのものであるが、該自由端は固定端の拘束を受けるため、横方向Ｙの内方側に向かって斜めに起立する。即ち、伸縮部を横方向Ｙの内方側に向かわせる力が生じる。この力は、薄型の吸収体を備えていることによって一層顕著に現れる。実際に防漏カフは内方側に向かって偏る（図６参照）。
本発明の吸収性物品は、薄型の吸収体を備え、縦方向Ｘの中央位置を挟んでその前後に位置する２本の折り線ＦＬ１，ＦＬ２間、即ち折り線間領域ＦＲに伸縮部１６を有し、該２本の折り線ＦＬ１，ＦＬ２より外方に端部固定部１７を有しているため、前述の伸縮部を横方向Ｙの内方側に向かわせる力が、防漏カフの固定端等の伸縮部以外の部分を介して、縦方向Ｘ及び横方向Ｙに伝達する。その結果、縦方向Ｘについてみると、吸収性物品は縦方向Ｘの断面視で全体が凹形状となる。また、横方向Ｙについてみると、伸縮部を横方向Ｙの内方側に向かわせる力の影響で、吸収性物品は、伸縮部１６が存在する領域が、横方向Ｙの断面視で凹形状となる。この横方向Ｙの断面視で凹形状となる力は伸縮部１６の存在しない外方領域まで伝達しにくく、該外方領域は横方向の断面視で凹形状になりにくい。即ち、本発明の吸収性物品は、横方向Ｙの断面視で、折り線間領域ＦＲの前後にある外方領域（本実施形態の前方部Ａ及び後方部Ｃ）はほぼ平坦であり、折り線間領域ＦＲ（本実施形態の排泄部対向部Ｂ）は凹形状である一方、縦方向Ｘの断面視で、物品全体として断面形状が凹である。装着時に折り畳まれた状態から展開した後、このような形状が実現されていると、吸収性物品を着用者の腹部から股間部、臀部にかけて当接させ易く、装着時の作業性に優れる。また、装着中も好ましい形状が安定的に維持されることでフィット性に優れる。
一方、薄型の吸収体を備えたとしても、従来の吸収性物品のように、伸縮部が前記２本の折り線を超えて存在すると、物品全体として縦方向Ｘの断面視形状が凹形状となると共に、外方領域の横方向Ｙの断面視形状が凹形状となる。これにより、外方領域の形状が着用者の身体に沿わない形状に歪んでしまい、装着時の違和感や物品の身体からの浮きにつながる可能性がある。このような場合は、装着の作業性やフィット性が低下しやすい。また、伸縮部１６及び端部固定部１７が２本の折り線ＦＬ１，ＦＬ２間にあると、端部固定部１７を介して２本の折り線ＦＬ１，ＦＬ２間の内方に向かう力が外方領域にも伝わり、やはり物品全体として歪んだ形状となってしまい、同様の不都合が発生しやすい。
【００３４】
着用者の液排泄部へのフィット性をより高める観点から、伸縮部１６の縦方向Ｘの長さＬ１６は、伸縮部１６が２本の折り線ＦＬ１，ＦＬ２の内方に位置することを前提として、失禁パッド１の縦方向Ｘの長さＬに対して、好ましくは２０％以上、より好ましくは３０％以上、また好ましくは５０％以下、より好ましくは４５％以下、また好ましくは２０％以上５０％以下、より好ましくは３０％以上４５％以下である。
また、伸縮部１６の縦方向Ｘの長さＬ１６は、好ましくは２０ｍｍ以上、より好ましくは３０ｍｍ以上であり、また好ましくは１８０ｍｍ以下、より好ましくは１５０ｍｍ以下であり、また好ましくは２０ｍｍ以上１８０ｍｍ以下、より好ましくは３０ｍｍ以上１５０ｍｍ以下である。
なお、特に言及しない限り、本明細書に記載の距離や寸法は、吸収性物品を平面状に拡げた状態において測定する。
【００３５】
着用者の腹部又は臀部へのフィット性をより高める観点から、前方部Ａ及び後方部Ｃの縦方向Ｘの長さＬ１０，Ｌ１１はそれぞれ、排泄部対向部Ｂの縦方向Ｘの長さＬ１３に対して、好ましくは５０％以上、より好ましくは６０％以上、また好ましくは９０％以下、より好ましくは８０％以下、また好ましくは５０％以上９０％以下、より好ましくは６０％以上８０％以下である。
【００３６】
本実施形態の吸収性コア１４は、図３に示すように、失禁パッド１の縦方向Ｘにおける２本の折り線ＦＬ１，ＦＬ２間に位置する部分の横方向Ｙにおいて、防漏カフ１５の固定端１５ｂの位置より横方向Ｙの外方に延出した部分を有している。
以下、吸収性コア１４において、防漏カフ１５の固定端１５ｂの位置よりも横方向Ｙの外側に位置する部分をサイド吸収部１４Ｓともいい、防漏カフ１５の固定端１５ｂの位置よりも横方向Ｙの内側に位置する部分を中央吸収部１４Ｃともいう。
本実施形態の吸収性コア１４においては、サイド吸収部１４Ｓの坪量が、中央吸収部１４Ｃの坪量に比して低い。斯かる構成を有すると、横方向Ｙへの収縮力が発生する排泄部対向部Ｂにおける吸収体の剛性が低下し、横方向Ｙの断面において凹状に湾曲しやすくなるという効果が奏される。斯かる効果は、吸収性コア１４における、防漏カフの固定端１５ｂの位置より外側に吸収性コアが存在しない場合にも同様に奏される。但し、吸収体の横方向Ｙへの剛性を確保する観点から、吸収性コア１４は、固定端１５ｂの位置より外方に延出するサイド吸収部１４Ｓを有し、サイド吸収部１４Ｓの坪量が、中央吸収部１４Ｃの坪量に比して低いことがより好ましい。
【００３７】
サイド吸収部１４Ｓの坪量を中央吸収部１４Ｃの坪量より低くして、前述の横方向Ｙの吸収体剛性の低下の効果を向上させる観点から、サイド吸収部１４Ｓの坪量は、中央吸収部１４Ｃの坪量に対して、好ましくは２０％以上、より好ましくは３０％以上であり、また好ましくは５０％以下、より好ましくは４０％以下であり、また好ましくは２０％以上５０％以下、より好ましくは３０％以上４０％以下である。
【００３８】
吸収性物品を薄型化すると共に、吸収性能を担保する観点から、中央吸収部１４Ｃの坪量は、好ましくは７０ｇ／ｍ２以上、より好ましくは１５０ｇ／ｍ２以上であり、また好ましくは７００ｇ／ｍ２以下、より好ましくは６５０ｇ／ｍ２以下であり、また好ましくは７０ｇ／ｍ２以上６５０ｇ／ｍ２以下、より好ましくは１５０ｇ／ｍ２以上６５０ｇ／ｍ２以下である。
【００３９】
本明細書において、吸収性物品からその構成部材（例えば吸収体）を取り出し、該構成部材を評価測定等する場合において、その構成部材が、接着剤、融着などによって他の構成部材に固定されている場合には、その固定部分を、溶剤の塗布、ドライヤーによる熱風吹き付け、コールドスプレー（例えばニチバン株式会社製の市販品）の吹き付けなどによって除去してから取り出す。
また、吸収性コア１４の重量を測定する場合は、乾燥状態の吸収体４の重量を測定しておき、吸収体４を水に浸漬させる。浸漬させた吸収体４から撹拌などによって吸収性コアをはがしたら、基材シートを乾燥させ、乾燥状態の吸収体４の重量から基材シートの重量を差し引き、これを吸収性コアの重量とする。
【００４０】
吸収性物品を薄型化する観点から、吸収体４の厚みＤ１（図４参照）は、好ましくは０．１ｍｍ以上、より好ましくは０．３ｍｍ以上であり、また好ましくは２ｍｍ以下、より好ましくは１．５ｍｍ以下である。吸収体４の厚みＤ１は、吸収前の吸収体４の最大厚みである。
また、吸収前の吸収性コア１４の厚みＤ３（図４参照）は、吸収体４の厚みＤ１（図４参照）に対して、好ましくは５０％以上、より好ましくは６５％以上、また好ましくは９０％以下、より好ましくは８０％以下、また好ましくは５０％以上９０％以下、より好ましくは６５％以上８０％以下である。
【００４１】
吸収体４の厚みＤ１、及び吸収性コア１４の厚みＤ３は以下の方法で測定される。先ず、測定対象の吸収体４を水平な場所にシワや折れ曲がりがないように置き、５ｃＮ／ｃｍ２の荷重下での厚みを測定する。具体的には、厚みの測定に、例えば、厚み計（尾崎製作所社製、ＰＥＡＣＯＣＫ  ＤＩＡＬ  ＵＰＲＩＧＨＴ  ＧＡＵＧＥ  ＳＲ５−Ｃ）を用いる。このとき、厚み計の先端部と測定対象物との間に、荷重が５ｃＮ／ｃｍ２となるように大きさを調整した平面視円形状又は正方形状のプレート（厚さ５ｍｍ程度のアクリル板）を配置して、厚みを測定する。この方法により、吸収体４の厚みＤ１と基材シート２０の厚みを測定し、その差分値を吸収性コア１４の厚みとする。
【００４２】
本実施形態における吸収体４は、図３に示すように、基材シート２０の片面に、吸収性コア１４が形成されている。
吸収性物品の中には吸収性コアがティッシュペーパーや不織布等のコアラップシートで被覆されたものがあるが、吸収性物品をより薄型化する観点から、吸収体４は、基材シート２０の吸収性コア１４が形成された面が別体のシートによって被覆されていないことが好ましい。
【００４３】
失禁パッド１において吸収体４は、図３に示すように、基材シート２０の吸収性コアが形成されていない面が肌対向面側に向き、吸収性コア１４が形成された面が非肌対向面側に向いた状態で配されている。斯かる構成により、折り線ＦＬ１，ＦＬ２の位置にて吸収性物品を容易に折り曲げることができ、フィット性をより向上させることができる。また、基材シート２０が吸収性コア１４より肌対向面側にある構成とすることで、逆の構成である場合に比して、液の拡散性が高く、且つ一旦吸収された尿等の排泄液が着用者の肌側に移行する、いわゆる液戻りが生じ難い。さらに、着用時の肌触りを良好にする。このように吸収体４は、基材シート２０の吸収性コア１４が形成された面が裏面シート３側に向いていることが好ましい。
【００４４】
本実施形態の失禁パッド１は、図３に示すように、表面シート２と吸収体４の基材シート２０とが隣接している。吸収体４と共に吸収性物品をより曲げ易くして、フィット性を高める観点から、吸収体４の肌対向面が、表面シート２の非肌対向面と接着していることが好ましい。このような構成とすることで、排泄液を表面シート２から吸収体４へ移行させやすくすることができる。表面シート２と吸収体４とは、吸収体４の肌対向面、又は表面シート２の非肌対向面に接着剤を塗工することにより、接着させることができる。
【００４５】
本実施形態における吸収体４は、図３に示すように、基材シート２０の片面に、吸収性コア１４が平面状に連続して形成されており、その表面が平坦であるが、吸収性コア１４は、その表面が平坦でなくても良く、また平面状に連続して形成されていなくとも良い。例えば、吸収性コア１４に、相対的に吸収性コア１４の形成材料が少ない断面視凹状の部分、即ち凹部が形成されていても良い。なお、前記断面視の「断面」は、吸収体４の厚み方向に沿う断面である。
前記凹部は、吸収性コア１４において、吸収性コア１４の形成材料が存在しない部分、もしくは他の部分に比して相対的に低坪量である部分である。凹部を有することによって該凹部が屈曲点となり、吸収体をより柔軟に変形させることができる。吸収性コア１４は、複数の凹部を有していても良い。
また、吸収性コア１４を横方向Ｙに湾曲しやすくする観点から、凹部は縦方向Ｘに延びていることが好ましい。特に凹部を防漏カフの固定端１５ｂ付近に配置することで、吸収性コア１４が横方向Ｙの断面において凹状に湾曲しやすくなるという効果が奏される。これと同様の効果を奏させる観点から、中央吸収部１４Ｃとサイド吸収部１４Ｓとの間に凹部を有していても良い。この場合、凹部は、サイド吸収部１４Ｓに比して坪量が低い。
さらに、縦方向Ｘに延びる複数の凹部を横方向Ｙに間欠的に配置すると、吸収性コア１４が横方向Ｙに容易に湾曲するため、吸収体の柔軟性が向上する。
凹部を有する吸収性コア１４は、後述する製造方法により得られる。
【００４６】
吸収性コア１４の薄型化と吸収性確保の観点から、吸水性樹脂４３は、レーザー回折式粒度分布法で測定した累積体積５０％での粒径Ｄ５０、即ちメジアン径が、好ましくは１５０μｍ以上、より好ましくは１８０μｍ以上であり、また好ましくは５００μｍ以下、より好ましくは４００μｍ以下であり、また好ましくは１５０μｍ以上５００μｍ以下、より好ましくは１８０μｍ以上４００μｍ以下である。
吸水性樹脂４３のメジアン径は、レーザー回折／散乱式粒度分布測定装置（ＬＡ−９２０、堀場製作所社製）を用いて、下記の測定条件にて測定することができる。
測定方法：フロー法
分散媒：エタノール／蒸留水＝９０／１０ｗｔ％
分散方法：攪拌、内蔵超音波３分
試料濃度：０．１％
【００４７】
排泄液の吸収後も装着感を良好に維持する観点から、吸収性コア１４中の吸水性樹脂４３に対する水溶性高分子４７の比率は、好ましくは０．１％以上、より好ましくは０．３％以上であり、また好ましくは５％以下、より好ましくは４％以下であり、また好ましくは０．１％以上５％以下、より好ましくは０．３％以上４％以下である。なお、「吸水性樹脂４３に対する水溶性高分子４７の比率」は、吸収性コア１４中に含まれる吸水性樹脂４３の質量を分母とし、水溶性高分子４７の質量を分子として算出される比率のことである。
また、吸収性コア１４における水溶性高分子４７の含有量は、好ましくは０．０５質量％以上、より好ましくは０．１質量％以上であり、また好ましくは１０質量％以下、より好ましくは８質量％以下であり、また好ましくは０．０５質量％以上１０質量％以下、より好ましくは０．１質量％以上８質量％以下含まれている。
【００４８】
吸収性コア１４は、吸水性樹脂４３及び水溶性高分子４７以外の他の構成材料を含んでいても良い。例えば、消臭剤、香料、可塑剤、多価アルコール等を含んでいても良い。
また吸収性コアには、以上の成分に加え、必要に応じて該吸収性コアの各種の性能を向上させ得る成分を含有させることもできる。そのような成分としては、例えば増粘剤、ｐＨ調整剤などが挙げられる。
【００４９】
吸収体４の面積に占める吸収性コア１４の割合は、吸収体４の吸収能力及び拡散性を十分に高める観点から、好ましくは５０面積％以上、より好ましくは６０面積％以上、更に好ましくは７０面積％以上であり、また１００面積％以下、好ましくは９５面積％以下、より好ましくは９０面積％以下であり、また好ましくは５０面積％以上１００面積％以下、より好ましくは６０面積％以上９５面積％以下、更に好ましくは７０面積％以上９０面積％以下である。なお、「吸収体４の面積」及び「吸収性コア１４の面積」とは、基材シート２０上に吸収性コア１４が設けられた側の面におけるそれぞれの面積のことである。吸収体４の面積に占める吸収性コア１４の割合が１００面積％であるとは、吸収性コア１４が基材シート２０の全面に配されていることである。
【００５０】
以上の説明は、吸収性コア１４が基本的に単層のものである場合についてのものであったが、本発明においては、吸収性コア１４は、同じ組成を有するか、又は、異なる組成を有する２層以上の積層構造部分を有するものであってもよい。
【００５１】
本実施形態における吸収体４は、基材シート２０の片面に吸水性樹脂４３及び水溶性高分子４７を含む組成物を塗工して形成されたものである。以下、吸水性樹脂４３及び水溶性高分子４７を含む組成物を単に組成物６０ともいう。図７には、組成物６０を塗工して吸収性コア１４を形成して吸収体４を製造する製造方法に好適な装置５０が示されている。装置５０は、組成物６０の供給部５１と、組成物６０の塗布部５３と、組成物６０の乾燥部５５とを備えている。
【００５２】
供給部５１は、組成物６０の貯蔵タンク５１ａを備えている。タンク５１ａ内には組成物６０が蓄えられている。タンク５１ａ内の組成物６０は、撹拌翼５１ｂによって撹拌されて均一化されている。撹拌翼５１ｂは、シャフト５１ｃを介してモータ等の回転駆動源５１ｄに接続されている。タンク５１ａの底部には管路５２の一端が接続されている。管路５２の他端は塗布部５３に接続されている。
【００５３】
塗布部５３は、長尺状の基材シート２０の連続体２０Ｓの片面に組成物６０を塗工する塗工ヘッド５４を備えている。以下、基材シート２０の連続体２０Ｓを単に「連続体２０Ｓ」ともいう。塗工ヘッド５４は、管路５２を介して供給部５１から供給された組成物６０を、一方向Ｄ、即ち連続体２０Ｓの搬送方向Ｄに沿って連続的に塗布する。また、図７に示す塗布部５３は、搬送方向Ｄに沿って、組成物６０を塗布しない部分を形成する。具体的には、塗工ヘッド５４は、連続体２０Ｓの両側部域２０ｂ，２０ｂ間の領域に、組成物６０を平面状に塗布した湿潤状態の塗布体６３と、組成物６０が塗布されない搬送方向Ｄに延びる非塗工部６４とを形成する。このような塗工ヘッド５４として、組成物６０のような流動体の塗布が可能なものが用いられ、例えばダイコータなどが挙げられるが、これに限られない。
このように、塗工ヘッド５４は、基材シート２０上に、組成物６０の非塗工部６４を部分的に形成するように、組成物６０を塗工して塗布体６３を形成しても良い。
また、図７に示すように、塗工ヘッド５４は、基材シート２０上に、前述の中央吸収部１４Ｃに対応する中央塗布体６３Ｃと、前述のサイド吸収部１４Ｓに対応するサイド塗布体６３Ｓとを形成しても良い。例えば、連続体２０Ｓの搬送方向Ｄと直交する直交方向Ｅにおける基材シート２０の中央に中央塗布体６３Ｃを、該中央塗布体６３Ｃの両側にサイド塗布体６３Ｓを形成しても良い。この場合、中央吸収部１４Ｃとサイド吸収部１４Ｓとの坪量が、前述の関係となるよう、中央塗布体６３Ｃとサイド塗布体６３Ｓとの組成物６０の坪量を異ならせるよう、組成物６０を塗工する。
【００５４】
連続体２０Ｓの搬送方向Ｄにおいて、塗布部５３の下流には乾燥部５５が配置されている。乾燥部５５は、塗布部５３によって形成された塗布体６３を乾燥させて揮発成分を除去し、塗布体６３の乾燥体である吸収性コア１４を連続体２０Ｓ（基材シート２０）に固定させる。乾燥部５５は、湿潤状態の塗布体６３から揮発成分を除去し得る装置であり、その例として、赤外線の放射装置や、加熱された熱風の吹出装置などが挙げられるが、これらに限られない。
【００５５】
上述の装置５０により、連続体２０Ｓの片面、即ち基材シート２０の片面に吸収性コア１４が形成された吸収体４の連続体４Ｓが得られる。また、前述の非塗工部６４は、吸収性コア１４の形成材料が存在しない部分となり、前述の凹部となる。装置５０は、中央塗布体６３Ｃとサイド塗布体６３Ｓとの間に非塗工部６４を形成することで、中央吸収部１４Ｃとサイド吸収部１４Ｓとの間に凹部を有する吸収体４の連続体を形成することができる。この吸収体４の連続体は、必要に応じて後加工に付される。後加工としては、例えば吸収体４の連続体４Ｓをその長手方向にわたって裁断して毎葉の吸収体４に加工する工程や、吸収体４の連続体４Ｓを、吸収性物品等の最終製品に組み込む工程や吸収体４の連続体４Ｓを巻き取って原反化する工程が挙げられる。
【００５６】
以上の方法によれば、組成物６０を基材シート２０の片面に塗布するだけの単純なプロセスで目的とする吸収性コア１４及び吸収体４を得ることができる。また、以上の方法によれば、吸収性コア１４の厚みや坪量を高精度に制御することができる。これにより、吸収性コア１４の坪量や厚みに局所的なばらつきが生じ難くすることができ、吸収体４は安定した吸収性能を発現し得る。また、基材シート２０上の広い領域で任意に吸収性コアの坪量を変更することができる。さらに、組成物６０を薄く塗工することにより吸収性コア１４を極めて薄く形成することも可能である。
【００５７】
以上の効果を一層顕著なものとする観点から、組成物６０は、上述した吸水性樹脂４３や水溶性高分子４７等の吸収性コア１４の構成材料を、溶媒に分散又は溶解させたものであることが好ましい。組成物６０には、吸水性樹脂４３を膨潤させない程度水を含有してもよいが、吸水性樹脂４３が吸水及び膨潤することを防ぐ観点から、組成物６０は水を非含有であることが好ましい。水を非含有とは、組成物６０中に意図的に有意な量の水を添加すること排除する趣旨である。したがって原料等の不純物として不可避的に混入する微量の水や、大気中から不可避的に混入する微量の水の存在は許容される。
【００５８】
組成物６０中に含まれる吸水性樹脂４３や水溶性高分子４７等の構成材料の割合は、該構成材料を溶媒に分散させる場合、吸収性コア１４中の吸水性樹脂４３や水溶性高分子４７が前述の割合となるよう調整することが好ましい。また、組成物６０はパルプ繊維等の繊維材料を非含有であることが好ましい。
【００５９】
組成物６０に含まれる溶媒としては非水溶媒が好適に用いられる。そのような非水溶媒としては、例えばエタノール、メタノール、イソプロピルアルコール、アセトン、メチルエチルケトン、酢酸ブチルなどが挙げられる。これらの非水溶媒は１種を単独で、又は２種以上を組み合わせて用いることができる。これらの非水溶媒のうち、入手容易性や汎用性、安全性の点からエタノールを用いることが好ましい。
【００６０】
組成物６０に占める非水溶媒の割合は、組成物６０の塗工を容易とする観点から、好ましくは３０質量％以上、より好ましくは３５質量％以上、一層好ましくは４０質量％以上であり、また好ましくは７０質量％以下、より好ましくは６５質量％以下、一層好ましくは６０質量％以下であり、また好ましくは３０質量％以上７０質量％以下、より好ましくは３５質量％以上６５質量％以下、一層好ましくは４０質量％以上６０質量％以下である。
【００６１】
前述の凹部を有する吸収性コア１４は、例えば塗布部５３が２台以上の塗工ヘッド５４を有する装置を用いても形成することができる。この装置では、基材シート２０の搬送方向Ｄに沿って２台の塗工ヘッド５４が直列に並べられており、上流の塗工ヘッド５４により形成された第１塗布体の上に、下流の塗工ヘッド５４により第２塗布体を形成する。このとき、第１塗布体の上には、組成物６０の塗工部と非塗工部とを部分的に有するよう、第２塗布体を形成する。前記非塗工部が吸収性コア１４の凹部となる。第１塗布体及び第２塗布体を乾燥させると、前記凹部として低坪量の部分を有する吸収性コア１４が形成される。凹部として低坪量部の部分を有する吸収性コア１４は、一台の塗工ヘッド５４で凹部を形成するように、組成物６０の吐出量を調整しながら組成物６０を吐出する装置を用いても形成することができる。
【００６２】
吸収体を製造する装置が、複数台の塗工ヘッドを備える場合、該塗工ヘッドそれぞれが異なる種類の組成物６０を塗布することにより、異なる組成を有する吸収性コアを形成することができる。また、上述したのと同様な方法で、異なる組成を有する２層以上の複数の層が積層された積層構造を有する吸収性コア１４を形成することができる。また、一台の塗工ヘッド５４で複数の層が積層された積層構造を形成するように組成物６０を吐出してもよい。
【００６３】
失禁パッド１は、上述の構成を有する失禁パッドが得られる任意の製造方法によって製造することができる。例えば、以下の方法により製造可能である。先ず、サイドシート５の帯状シートを連続搬送させながら、２本の折り線ＦＬ１，ＦＬ２間に対応する領域に接着剤を塗工した上で、該帯状シート上に伸張状態の弾性部材１６ａを合流させ、該接着剤を介して弾性部材１６ａを部分的に該帯状シート上に固定させる。弾性部材１６ａが固定された帯状シートを、表面シート２の連続シートの両側に、前述の外方領域と対応する位置で固定して、表面シート２の連続シートの両側に防漏カフ１５の連続シートを接合した連続複合材を得る。次いで、その連続複合材と、裏面シート３の連続シートとを、両シート間に、上述の吸収体の製造方法により得られた吸収体の連続体４Ｓを失禁パッド１個分の長さに切断した短尺の吸収体４を挟みこんだ状態に接合した後、該吸収体４のない箇所で順次切断して、個々の失禁パッドを製造する。個々の失禁パッドを個装シートと合流させ、２本の折り線Ｌ１，ＦＬ２で個装シートごと折り、シールと共に折り、シールやタブテープの取付を行う。防漏カフ１５の２本の折り線ＦＬ１，ＦＬ２より外方の非伸縮部においては、弾性部材が存在しないか、弾性部材が存在しても該弾性部材の伸張状態を解除され伸縮性を発現しないことが好ましい。
【００６４】
以上、本発明について説明したが、本発明は前述した実施形態に制限されず、本発明の趣旨を逸脱しない範囲で適宜変更可能である。
例えば、本発明の吸収性物品は、失禁パッドの他、使い捨ておむつや生理用ナプキン等であっても良い。上述した効果をより確実に奏させる観点から、本発明の吸収性物品は、防漏カフの伸縮部を形成する弾性部材以外の弾性部材であって、装着時に脚周りに配されるものを具備しない吸収性物品であることが好ましい。
また、上述した実施形態の吸収性コア１４は、中央吸収部１４Ｃとサイド吸収部１４Ｓとを有していたが、吸収性コア１４は、吸収性コア全体が均一な坪量であっても良い。
【００６５】
図８（ａ）に、前述した実施形態における吸収性物品の個装体の断面図を示す。また、図８（ｂ）に別の実施形態における吸収性物品の図８（ａ）相当図を示す。
前述した実施形態において吸収性物品は、該吸収性物品を縦方向Ｘに折り返している複数の折り線として、縦方向Ｘの中央位置を挟んでその前後に位置する２本の折り線ＦＬ１，ＦＬ２のみを有していたが、本発明の吸収性物品は、該２本の折り線ＦＬ１，ＦＬ２以外の折り線を有していてもよい。２本の折り線ＦＬ１，ＦＬ２のみを有する場合、吸収性物品は、使用前の包装状態において図８（ａ）に示すように、該２本の折り線ＦＬ１，ＦＬ２に沿って折り返されて三つ折り状態に折り畳まれている。２本の折り線ＦＬ１，ＦＬ２とそれ以外の折り線とを有する場合、例えば前記２本の折り線に加えて他の折り線ＦＬ３を１本有する場合、吸収性物品は、使用前の包装状態において図８（ｂ）に示すように４つ折り状態に折り畳まれている。
【符号の説明】
【００６６】
１  失禁パッド
２  表面シート
３  裏面シート
４  吸収体
５  サイドシート
６  圧搾溝
１０  吸収性本体
２０  基材シート
２０Ｓ  連続体
１４  吸収性コア
１５  防漏カフ
１６  伸縮部
１７  端部固定部
４３  吸水性樹脂
４７  水溶性高分子
５０  装置
５１  供給部
５１ａ  タンク
５１ｂ  撹拌翼
５１ｃ  シャフト
５１ｄ  回転駆動源
５２  管路
５３  塗布部
５４  塗工ヘッド
５５  乾燥部
６０  組成物
６３  塗布体
【図１】
2019155005.tif 000003
【図２】
2019155005.tif 000004
【図３】
2019155005.tif 000005
【図４】
2019155005.tif 000006
【図５】
2019155005.tif 000007
【図６】
2019155005.tif 000008
【図７】
2019155005.tif 000009
【図８】
2019155005.tif 000010